(57)【要約】  本発明は、ページングの信頼性を向上させる方法および装置、コンピュータ記憶媒体を開示し、前記方法は、第１基地局が、端末によって送信される第１ＲＲＣメッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、前記端末のページングがトリガされる場合、第２基地局が、ターゲットセルを含むＲＮＡ内でページングメッセージを送信するように、前記第１基地局が、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信することであって、前記第３ＲＲＣメッセージは、前記第１基地局への前記端末のアクセスを拒絶することを表示する、ことと、を含む。
2021524690.tif 000002
【特許請求の範囲】
【請求項１】
ページングの信頼性を向上させる方法であって、
第１基地局が、端末によって送信される第１ＲＲＣ（Ｒａｄｉｏ  Ｒｅｓｏｕｒｃｅ  Ｃｏｎｔｒｏｌ）メッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、
前記第１基地局が、前記第１指示情報に基づいて、第２ＲＲＣメッセージを前記端末に送信することであって、前記第２ＲＲＣメッセージは、前記第１基地局への前記端末のアクセスを許可することを表示する、ことと、を含む、前記ページングの信頼性を向上させる方法。
【請求項２】
前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）位置更新であることを指示すること、または、
前記第１指示情報が、ＲＲＣ接続回復またはＲＲＣ接続確立の目的がＴＡ（Ｔｒａｃｋｉｎｇ  Ａｒｅａ）位置更新であることを指示することを含む、
請求項１に記載のページングの信頼性を向上させる方法。
【請求項３】
ページングの信頼性を向上させる方法であって、
第１基地局が、端末によって送信される第１ＲＲＣ（Ｒａｄｉｏ  Ｒｅｓｏｕｒｃｅ  Ｃｏｎｔｒｏｌ）メッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、
前記端末のページングがトリガされる場合、第２基地局が、ターゲットセルを含むＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）内でページングメッセージを送信するように、前記第１基地局が、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信することであって、前記第３ＲＲＣメッセージは、前記第１基地局への前記端末のアクセスを拒絶することを表示する、ことと、を含む、前記ページングの信頼性を向上させる方法。
【請求項４】
前記第１指示情報がＲＲＣ接続回復またはＲＲＣ接続確立の目的がＲＮＡ位置更新であることを指示し、かつ前記第１ＲＲＣメッセージが前記端末のＵＥ（Ｕｓｅｒ  Ｅｑｕｉｐｍｅｎｔ）識別情報を運ぶ場合、
前記第１基地局が、前記端末のＵＥ識別情報に従って、前記第２基地局をアドレス指定し、前記端末のＵＥ識別情報、ＭＡＣ−Ｉ（Ｍｅｓｓａｇｅ  Ａｕｔｈｅｎｔｉｃａｔｉｏｎ  Ｃｏｄｅ−Ｉｎｔｅｇｒｉｔｙ）情報、および前記第１ＲＲＣメッセージの送信中に前記端末が位置したターゲットセルの識別情報を、前記第２基地局に送信することであって、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信する、ことと、を更に含む、
請求項３に記載のページングの信頼性を向上させる方法。
【請求項５】
前記第１指示情報がＲＲＣ接続回復またはＲＲＣ接続確立の目的がＴＡ（Ｔｒａｃｋｉｎｇ  Ａｒｅａ）位置更新であることを指示し、かつ前記第１ＲＲＣメッセージが前記端末のＵＥ識別情報を運ぶ場合、
前記第１基地局が、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信することであって、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信し、同時に前記第２基地局は、前記端末が位置するターゲットＴＡのＴＡ情報を第１コアネットワーク要素に送信することにより、前記第１コアネットワーク要素がページングを開始する場合、前記ターゲットＴＡのＴＡ情報を含むＴＡリストでページングメッセージを送信する、ことと、を更に含む、
請求項３に記載のページングの信頼性を向上させる方法。
【請求項６】
前記第２基地局は、前記端末が位置するターゲットＴＡのＴＡ情報を第１コアネットワーク要素に送信するとき、第２指示情報も前記第１コアネットワーク要素に送信することであって、前記第１コアネットワーク要素は、前記第２指示情報に基づいて、前記ターゲットＴＡのＴＡ情報を前記端末のＴＡリストに記録し、前記第２指示情報は、前記端末がソースＴＡからターゲットＴＡに移動したが、前記第１基地局に一時的にアクセスできないことを前記第１コアネットワーク要素に指示する、ことを更に含む、
請求項５に記載のページングの信頼性を向上させる方法。
【請求項７】
前記ターゲットセルの識別情報は、ＰＣＩ（Ｐｈｙｓｉｃａｌ  Ｃｅｌｌ  Ｉｄｅｎｔｉｆｉｅｒ）、ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）、ＣＧＩ（Ｃｅｌｌ  Ｇｌｏｂａｌ  Ｉｄｅｎｔｉｆｉｅｒ）、ＴＡＣ（Ｔｒａｃｋｉｎｇ  Ａｒｅａ  Ｃｏｄｅ）のうちの少なくとも１つを含む、
請求項３ないし６のいずれか一項に記載のページングの信頼性を向上させる方法。
【請求項８】
前記第２基地局と前記第１基地局は異なる基地局であり、または、
前記第２基地局および前記第１基地局は同じ基地局であり、前記第２基地局は、ＵＥコンテキスト情報を格納する基地局である、
請求項３ないし７のいずれか一項に記載のページングの信頼性を向上させる方法。
【請求項９】
ページングの信頼性を向上させる方法であって、
第１基地局が、端末によって送信される第１ＲＲＣ（Ｒａｄｉｏ  Ｒｅｓｏｕｒｃｅ  Ｃｏｎｔｒｏｌ）メッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、
前記第１基地局が、前記第１指示情報に基づいて、第３ＲＲＣメッセージを前記端末に送信することであって、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥ（Ｕｓｅｒ  Ｅｑｕｉｐｍｅｎｔ）コンテキストを解放し、第４指示情報を第２基地局に送信するように指示し、前記第４指示情報は、前記第２基地局にＵＥコンテキストを解放するように指示する、ことと、を含む、前記ページングの信頼性を向上させる方法。
【請求項１０】
前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）位置更新であることを指示すること、または、
前記第１指示情報が、ＲＲＣ接続回復またはＲＲＣ接続確立の目的がＴＡ（Ｔｒａｃｋｉｎｇ  Ａｒｅａ）位置更新であることを指示することを含む、
請求項９に記載のページングの信頼性を向上させる方法。
【請求項１１】
前記第２基地局と前記第１基地局は異なる基地局であり、または、
前記第２基地局および前記第１基地局は同じ基地局であり、前記第２基地局は、ＵＥコンテキスト情報を格納する基地局である、
請求項９ないし１０のいずれか一項に記載のページングの信頼性を向上させる方法。
【請求項１２】
ページングの信頼性を向上させる方法であって、
第１基地局が、端末によって送信される第１ＲＲＣ（Ｒａｄｉｏ  Ｒｅｓｏｕｒｃｅ  Ｃｏｎｔｒｏｌ）メッセージを受信することであって、前記第１ＲＲＣメッセージは、ＲＲＣ接続回復要求メッセージまたはＲＲＣ接続確立要求メッセージであり、前記第１ＲＲＣメッセージは、前記端末のＵＥ（Ｕｓｅｒ  Ｅｑｕｉｐｍｅｎｔ）識別情報を運ぶ、ことと、
前記第１基地局が、前記端末のＵＥ識別情報に従ってＵＥコンテキストを取得し、前記ＵＥコンテキストに基づいてセキュリティ回復を実行することと、
前記第１基地局が、第３ＲＲＣメッセージを前記端末に送信することであって、前記第３ＲＲＣメッセージは、前記第１基地局への前記端末のアクセスを拒絶することを表示し、前記第３ＲＲＣメッセージは、ＲＮＡ構成情報を運ぶ、ことと、を含む、前記ページングの信頼性を向上させる方法。
【請求項１３】
前記第１ＲＲＣメッセージは、第１指示情報を運び、前記第１指示情報は、ＲＲＣ接続回復またはＲＲＣ接続確立の目的が位置更新であることを指示する、
請求項１２に記載のページングの信頼性を向上させる方法。
【請求項１４】
前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）位置更新であることを指示すること、または、
前記第１指示情報が、ＲＲＣ接続回復またはＲＲＣ接続確立の目的がＴＡ（Ｔｒａｃｋｉｎｇ  Ａｒｅａ）位置更新であることを指示することを含む、
請求項１３に記載のページングの信頼性を向上させる方法。
【請求項１５】
ページングの信頼性を向上させる装置であって、
端末によって送信される第１ＲＲＣ（Ｒａｄｉｏ  Ｒｅｓｏｕｒｃｅ  Ｃｏｎｔｒｏｌ）メッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニットと、
前記第１指示情報に基づいて、第２ＲＲＣメッセージを前記端末に送信するように構成される第１送信ユニットであって、前記第２ＲＲＣメッセージは、前記第１基地局への前記端末のアクセスを許可することを表示する、第１送信ユニットと、を備える、前記ページングの信頼性を向上させる装置。
【請求項１６】
前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）位置更新であることを指示すること、または、
前記第１指示情報が、ＲＲＣ接続回復またはＲＲＣ接続確立の目的がＴＡ（Ｔｒａｃｋｉｎｇ  Ａｒｅａ）位置更新であることを指示することを含む、
請求項１５に記載のページングの信頼性を向上させる装置。
【請求項１７】
ページングの信頼性を向上させる装置であって、
端末によって送信される第１ＲＲＣ（Ｒａｄｉｏ  Ｒｅｓｏｕｒｃｅ  Ｃｏｎｔｒｏｌ）メッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニットと、
前記端末のページングがトリガされる場合、第２基地局が、ターゲットセルを含むＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）内でページングメッセージを送信するように、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信するように構成される第２送信ユニットであって、前記第３ＲＲＣメッセージは、前記第１基地局への前記端末のアクセスを拒絶することを表示する、第２送信ユニットと、を備える、前記ページングの信頼性を向上させる装置。
【請求項１８】
前記第１指示情報がＲＲＣ接続回復またはＲＲＣ接続確立の目的がＲＮＡ位置更新であることを指示し、かつ前記第１ＲＲＣメッセージが前記端末のＵＥ（Ｕｓｅｒ  Ｅｑｕｉｐｍｅｎｔ）識別情報を運ぶ場合、
前記第２送信ユニットは、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信するように構成され、ここで、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信する、
請求項１７に記載のページングの信頼性を向上させる装置。
【請求項１９】
前記第１指示情報がＲＲＣ接続回復またはＲＲＣ接続確立の目的がＴＡ（Ｔｒａｃｋｉｎｇ  Ａｒｅａ）位置更新であることを指示し、かつ前記第１ＲＲＣメッセージが前記端末のＵＥ識別情報を運ぶ場合、
前記第２送信ユニットは、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信するように構成され、ここで、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信すると同時に、前記端末が位置するターゲットＴＡのＴＡ情報を第１コアネットワーク要素に送信することにより、前記第１コアネットワーク要素がページングを開始する場合、前記ターゲットＴＡのＴＡ情報を含むＴＡリストでページングメッセージを送信する、
請求項１７に記載のページングの信頼性を向上させる装置。
【請求項２０】
前記第２送信ユニットは、さらに、前記端末が位置するターゲットＴＡのＴＡ情報を第１コアネットワーク要素に送信するとき、第２指示情報も前記第１コアネットワーク要素に送信するように構成され、ここで、前記第１コアネットワーク要素は、前記第２指示情報に基づいて、前記ターゲットＴＡのＴＡ情報を前記端末のＴＡリストに記録し、前記第２指示情報は、前記端末がソースＴＡからターゲットＴＡに移動したが、前記第１基地局に一時的にアクセスできないことを前記第１コアネットワーク要素に指示する、
請求項１９に記載のページングの信頼性を向上させる装置。
【請求項２１】
前記ターゲットセルの識別情報は、ＰＣＩ（Ｐｈｙｓｉｃａｌ  Ｃｅｌｌ  Ｉｄｅｎｔｉｆｉｅｒ）、ＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ）、ＣＧＩ（Ｃｅｌｌ  Ｇｌｏｂａｌ  Ｉｄｅｎｔｉｆｉｅｒ）、ＴＡＣ（Ｔｒａｃｋｉｎｇ  Ａｒｅａ  Ｃｏｄｅ）のうちの少なくとも１つを含む、
請求項１７ないし２０のいずれか一項に記載のページングの信頼性を向上させる装置。
【請求項２２】
前記第２基地局と前記第１基地局は異なる基地局であり、または、
前記第２基地局および前記第１基地局は同じ基地局であり、前記第２基地局は、ＵＥコンテキスト情報を格納する基地局である、
請求項１７ないし２１のいずれか一項に記載のページングの信頼性を向上させる装置。
【請求項２３】
ページングの信頼性を向上させる装置であって、
端末によって送信される第１ＲＲＣ（Ｒａｄｉｏ  Ｒｅｓｏｕｒｃｅ  Ｃｏｎｔｒｏｌ）メッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニットと、
前記第１指示情報に基づいて、第３ＲＲＣメッセージを前記端末に送信するように構成される第３送信ユニットであって、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥ（Ｕｓｅｒ  Ｅｑｕｉｐｍｅｎｔ）コンテキストを解放し、第４指示情報を第２基地局に送信するように指示し、前記第４指示情報は、前記第２基地局にＵＥコンテキストを解放するように指示する、第３送信ユニットと、を備える、前記ページングの信頼性を向上させる装置。
【請求項２４】
前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）位置更新であることを指示すること、または、
前記第１指示情報が、ＲＲＣ接続回復またはＲＲＣ接続確立の目的がＴＡ（Ｔｒａｃｋｉｎｇ  Ａｒｅａ）位置更新であることを指示することを含む、
請求項２３に記載のページングの信頼性を向上させる装置。
【請求項２５】
前記第２基地局と前記第１基地局は異なる基地局であり、または、
前記第２基地局および前記第１基地局は同じ基地局であり、前記第２基地局は、ＵＥコンテキスト情報を格納する基地局である、
請求項２３ないし２４のいずれか一項に記載のページングの信頼性を向上させる装置。
【請求項２６】
ページングの信頼性を向上させる装置であって、
端末によって送信される第１ＲＲＣ（Ｒａｄｉｏ  Ｒｅｓｏｕｒｃｅ  Ｃｏｎｔｒｏｌ）メッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、前記端末のＵＥ（Ｕｓｅｒ  Ｅｑｕｉｐｍｅｎｔ）識別情報を運ぶ、受信ユニットと、
前記端末のＵＥ識別情報に従ってＵＥコンテキストを取得し、前記ＵＥコンテキストに基づいてセキュリティ回復を実行するように構成されるセキュリティ回復ユニットと、
第３ＲＲＣメッセージを前記端末に送信するように構成される第４送信ユニットであって、前記第３ＲＲＣメッセージは、前記第１基地局への前記端末のアクセスを拒絶することを表示し、前記第３ＲＲＣメッセージは、ＲＮＡ構成情報を運ぶ、第４送信ユニットと、を備える、前記ページングの信頼性を向上させる装置。
【請求項２７】
前記第１ＲＲＣメッセージは、第１指示情報を運び、前記第１指示情報は、ＲＲＣ接続回復またはＲＲＣ接続確立の目的が位置更新であることを指示する、
請求項２６に記載のページングの信頼性を向上させる装置。
【請求項２８】
前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）位置更新であることを指示すること、または、
前記第１指示情報が、ＲＲＣ接続回復またはＲＲＣ接続確立の目的がＴＡ（Ｔｒａｃｋｉｎｇ  Ａｒｅａ）位置更新であることを指示することを含む、
請求項２７に記載のページングの信頼性を向上させる装置。
【請求項２９】
コンピュータ実行可能な命令が記憶されたコンピュータ記憶媒体であって、前記コンピュータ実行可能な命令は、プロセッサによって実行されるときに、請求項１ないし２のいずれか一項に記載の方法のステップ、または請求項３ないし８のいずれか一項に記載の方法のステップ、または請求項９ないし１１のいずれか一項に記載の方法のステップ、または請求項１２ないし１４のいずれか一項に記載の方法のステップを実現するように構成される、前記コンピュータ記憶媒体。
【発明の詳細な説明】
【技術分野】
【０００１】
本発明は、無線通信技術分野に関し、特に、ページングの信頼性を向上させる方法および装置、コンピュータ記憶媒体に関する。
【背景技術】
【０００２】
サービスの速度、遅延、高速モビリティ、エネルギー効率に対する人々の追求、および将来の生活中のサービスの多様性と複雑さを満たすために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）国際標準化機構は、第５世代（５Ｇ：５ｔｈ  Ｇｅｎｅｒａｔｉｏｎ）モバイル通信技術の開発を開始した。
【０００３】
５Ｇモバイル通信技術の主な適用シナリオは、拡張モバイルブロードバンド（ｅＭＢＢ：Ｅｎｈａｎｃｅ  Ｍｏｂｉｌｅ  Ｂｒｏａｄｂａｎｄ）、超高信頼性低遅延通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）、および大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）である。
【０００４】
５Ｇネットワーク環境では、エアインターフェイスシグナリングを削減し、ワイヤレス接続を迅速に回復し、データサービスを迅速に回復するために、新しい無線リソース制御（ＲＲＣ：Ｒａｄｉｏ  Ｒｅｓｏｕｒｃｅ  Ｃｏｎｔｒｏｌ）状態、即ち、ＲＲＣ非アクティブ（ＲＲＣ＿ＩＮＡＣＴＩＶＥ）状態が定義され、この状態は、ＲＲＣアイドル（ＲＲＣ＿ＩＤＬＥ）状態およびＲＲＣ接続（ＲＲＣ＿ＣＯＮＮＥＣＴＥＤ）状態とは異なる。
【０００５】
ユーザ機器（ＵＥ：Ｕｓｅｒ  Ｅｑｕｉｐｍｅｎｔ）がＲＲＣ＿ＩＮＡＣＴＩＶＥ状態にある場合、ネットワーク側は、専用シグナリングによって、ＵＥの無線アクセスネットワーク（ＲＡＮ：Ｒａｄｉｏ  Ａｃｃｅｓｓ  Ｎｅｔｗｏｒｋ）のページングエリアを構成し、前記ＲＡＮページングエリアは、１つのセルまたは複数のセルであり得る。ＵＥが前記エリアで移動するとき、ネットワーク側に通知する必要はなく、アイドル（ｉｄｌｅ）状態でのモビリティ動作、即ち、セルの選択と再選択の原則に従う。ＵＥが構成されたＲＡＮのページングエリアの外に移動すると、ＲＲＣ接続を回復し、構成されたＲＡＮのページングエリアを再取得するようにＵＥをトリガする。ＵＥにダウンリンクデータが到着すると、ＵＥのＲＡＮとコアネットワーク（ＣＮ：Ｃｏｒｅ  Ｎｅｔｗｏｒｋ）間の接続を維持する基地局（ｇＮＢなど）は、ページングメッセージをＵＥに送信するように、ＲＡＮページングエリア内のすべてのセルをトリガすることにより、ＩＮＡＣＴＩＶＣＥ状態のＵＥがＲＲＣ接続を回復してデータを受信できるようにする。
【０００６】
したがって、ＵＥがＩＮＡＣＴＩＶＥ状態からＲＲＣ接続状態に入ることについては、３つの状況がある。
【０００７】
第１の状況において、ＵＥにダウンリンクデータが到着した場合、ネットワーク側は、ＲＡＮ側のページングを開始して、ＵＥが接続状態に入るように促す。
【０００８】
第２の状況において、ＵＥ自体は、周期的なＲＡＮ位置更新やクロスエリア位置更新などのＲＡＮ位置エリア更新を開始する。
【０００９】
第３の状況において、ＵＥがアップリンクデータ送信の需要があり、接続状態に入るようにＵＥを促す。
【００１０】
もちろん、ネットワーク側は、負荷輻輳などの特定の状況下で、ＵＥによって送信されたＲＲＣ接続回復要求メッセージ（ＲＲＣ  Ｃｏｎｎｅｃｔｉｏｎ  Ｒｅｓｕｍｅ  Ｒｅｑｕｅｓｔ）に対してＲＲＣ拒絶メッセージ（ＲＲＣ  Ｒｅｊｅｃｔ）を返信し、ＲＲＣ拒絶メッセージは、１つの時間情報、即ちｗａｉｔｔｉｍｅｒを運び、ＵＥは前記ｗａｉｔｔｉｍｅｒを受信するとタイマを開始し、タイマがタイムアウトするまで、ＵＥは、前記セルでのＲＲＣ接続回復要求メッセージの送信を試みない。
【００１１】
図１を参照すると、ＵＥが特定の位置更新エリア境界（トラッキングエリア（ＴＡ：Ｔｒａｃｋｉｎｇ  Ａｒｅａ）境界またはＲＮＡ（ＲＡＮ−ｂａｓｅｄ  Ｎｏｔｉｆｉｃａｔｉｏｎ  Ａｒｅａ）境界）に位置する場合、ＵＥは、前記位置更新エリアの外に移動した後、現在位置する位置エリアがネットワーク側によって構成された位置エリアではないことを確認し、位置エリア更新要求メッセージの送信を試み、これは、最初にＲＲＣ接続回復要求メッセージを送信する必要があるか、ネットワーク側からのＲＲＣ拒絶メッセージを受信し、かつ前記メッセージがｗａｉｔｔｉｍｅｒを運ぶため、このとき、タイマがタイムアウトするまで、ＵＥは、ＲＲＣ接続回復要求メッセージの再送信を許可しない。この期間中にネットワーク側からのページングがある場合、ＵＥは、位置更新エリアを離れたため、前記ページングを受信できない。
【発明の概要】
【発明が解決しようとする課題】
【００１２】
ＲＮＡ（ＲＡＮ（Ｒａｄｉｏ  Ａｃｃｅｓｓ  Ｎｅｔｗｏｒｋ）−ｂａｓｅｄ  Ｎｏｔｉｆｉｃａｔｉｏｎ  Ａｒｅａ）ＲＮＡ（ＲＡＮ−ｂａｓｅｄ  Ｎｏｔｉｆｉｃａｔｉｏｎ  Ａｒｅａ）
【００１３】
上記の技術的課題を解決するために、本発明の実施例は、ページングの信頼性を向上させる方法および装置、コンピュータ記憶媒体を提供する。
【課題を解決するための手段】
【００１４】
本発明の実施例によるページングの信頼性を向上させる方法は、
第１基地局が、端末によって送信される第１ＲＲＣメッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、
前記第１基地局が、前記第１指示情報に基づいて、第２ＲＲＣメッセージを前記端末に送信することであって、前記第２ＲＲＣメッセージは、前記第１基地局への前記端末のアクセスを許可することを表示する、ことと、を含む。
【００１５】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【００１６】
本発明の実施例によるページングの信頼性を向上させる方法は、
第１基地局が、端末によって送信される第１ＲＲＣメッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、
前記端末のページングがトリガされる場合、第２基地局が、ターゲットセルを含むＲＮＡエリア内でページングメッセージを送信するように、前記第１基地局が、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信することであって、前記第３ＲＲＣメッセージは、前記第１基地局への前記端末のアクセスを拒絶することを表示する、ことと、を含む。
【００１７】
一実施形態において、前記第１指示情報がＲＲＣ接続回復またはＲＲＣ接続確立の目的がＲＮＡ位置更新であることを指示し、かつ前記第１ＲＲＣメッセージが前記端末のＵＥ識別情報を運ぶ場合、
前記第１基地局が、前記端末のＵＥ識別情報に従って、前記第２基地局をアドレス指定し、前記端末のＵＥ識別情報、完全性保護チェックコード（ＭＡＣ−Ｉ：Ｍｅｓｓａｇｅ  Ａｕｔｈｅｎｔｉｃａｔｉｏｎ  Ｃｏｄｅ−Ｉｎｔｅｇｒｉｔｙ）情報、および前記第１ＲＲＣメッセージの送信中に前記端末が位置したターゲットセルの識別情報を、前記第２基地局に送信することであって、前記第２基地局は、前記端末のＵＥ識別情報およびＭＡＣ−Ｉ情報に従って前記端末の正当性を検証し、前記ターゲットセルの識別情報を前記端末のＲＮＡエリアに記録し、前記端末のページングがトリガされる場合、前記第２基地局は、前記ターゲットセルを含むＲＮＡエリア内でページングメッセージを送信する、ことを更に含む。
【００１８】
一実施形態において、前記第１指示情報がＲＲＣ接続回復またはＲＲＣ接続確立の目的がＴＡ位置更新であることを指示し、かつ前記第１ＲＲＣメッセージが前記端末のＵＥ識別情報を運ぶ場合、
前記第１基地局が、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信することであって、前記第２基地局は、前記端末のＵＥ識別情報およびＭＡＣ−Ｉ情報に従って前記端末の正当性を検証し、前記ターゲットセルの識別情報を前記端末のＲＮＡエリアに記録し、前記端末のページングがトリガされる場合、前記第２基地局は、前記ターゲットセルを含むＲＮＡエリア内でページングメッセージを送信し、同時に前記第２基地局は、前記端末が位置するターゲットＴＡエリアのＴＡ情報を第１コアネットワーク要素に送信することにより、前記第１コアネットワーク要素がページングを開始する場合、前記ターゲットＴＡエリアのＴＡ情報を含むＴＡリストでページングメッセージを送信する、ことを更に含む。
【００１９】
一実施形態において、前記第２基地局は、前記端末が位置するターゲットＴＡエリアのＴＡ情報を第１コアネットワーク要素に送信するとき、第２指示情報も前記第１コアネットワーク要素に送信することであって、前記第１コアネットワーク要素は、前記第２指示情報に基づいて、前記ターゲットＴＡエリアのＴＡ情報を前記端末のＴＡリストに記録し、前記第２指示は、前記端末がソースＴＡエリアからターゲットＴＡエリアに移動したが、前記第１基地局に一時的にアクセスできないことを前記第１コアネットワーク要素に指示する、ことを更に含む。
【００２０】
一実施形態において、前記ターゲットセルの識別情報は、物理セル識別子（ＰＣＩ：Ｐｈｙｓｉｃａｌ  Ｃｅｌｌ  Ｉｄｅｎｔｉｆｉｅｒ）、絶対無線周波数チャネル番号（ＡＲＦＣＮ：Ａｂｓｏｌｕｔｅ  Ｒａｄｉｏ  Ｆｒｅｑｕｅｎｃｙ  Ｃｈａｎｎｅｌ  Ｎｕｍｂｅｒ）、グローバルセル識別子（ＣＧＩ：Ｃｅｌｌ  Ｇｌｏｂａｌ  Ｉｄｅｎｔｉｆｉｅｒ）、トラッキングエリアコード（ＴＡＣ：Ｔｒａｃｋｉｎｇ  Ａｒｅａ  Ｃｏｄｅ）のうちの少なくとも１つを含む。
【００２１】
一実施形態において、前記第２基地局と前記第１基地局は異なる基地局であり、または、
前記第２基地局および前記第１基地局は同じ基地局であり、前記第２基地局は、ＵＥコンテキスト情報を格納する基地局である。
【００２２】
本発明の実施例によるページングの信頼性を向上させる方法は、
第１基地局が、端末によって送信される第１ＲＲＣメッセージを受信することであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、ことと、
前記第１基地局が、前記第１指示情報に基づいて、第３ＲＲＣメッセージを前記端末に送信することであって、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥコンテキストを解放し、第４指示情報を第２基地局に送信するように指示し、前記第４指示情報は、前記第２基地局にＵＥコンテキストを解放するように指示する、ことと、を含む。
【００２３】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【００２４】
一実施形態において、前記第２基地局と前記第１基地局は異なる基地局であり、または、
前記第２基地局および前記第１基地局は同じ基地局であり、前記第２基地局は、ＵＥコンテキスト情報を格納する基地局である。
【００２５】
本発明の実施例によるページングの信頼性を向上させる方法は、
第１基地局が、端末によって送信される第１ＲＲＣメッセージを受信することであって、前記第１ＲＲＣメッセージは、ＲＲＣ接続回復要求メッセージまたはＲＲＣ接続確立要求メッセージであり、前記第１ＲＲＣメッセージは、前記端末のＵＥ識別情報を運ぶ、ことと、
前記第１基地局が、前記端末のＵＥ識別情報に従ってＵＥコンテキストを取得し、前記ＵＥコンテキストに基づいてセキュリティ回復を実行することと、
前記第１基地局が、第３ＲＲＣメッセージを前記端末に送信することであって、前記第３ＲＲＣメッセージは、前記第１基地局への前記端末のアクセスを拒絶することを表示し、前記第３ＲＲＣメッセージは、ＲＮＡ構成情報を運ぶ、ことと、を含む。
【００２６】
一実施形態において、前記第１ＲＲＣメッセージは、第１指示情報を運び、前記第１指示情報は、ＲＲＣ接続回復またはＲＲＣ接続確立の目的が位置更新であることを指示する。
【００２７】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【００２８】
本発明の実施例によるページングの信頼性を向上させる装置は、
端末によって送信される第１ＲＲＣメッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニットと、
前記第１指示情報に基づいて、第２ＲＲＣメッセージを前記端末に送信するように構成される第１送信ユニットであって、前記第２ＲＲＣメッセージは、前記第１基地局への前記端末のアクセスを許可することを表示する、第１送信ユニットと、を備える。
【００２９】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【００３０】
本発明の実施例によるページングの信頼性を向上させる装置は、
端末によって送信される第１ＲＲＣメッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニットと、
前記端末のページングがトリガされる場合、第２基地局が、ターゲットセルを含むＲＮＡエリア内でページングメッセージを送信するように、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信するように構成される第２送信ユニットであって、前記第３ＲＲＣメッセージは、前記第１基地局への前記端末のアクセスを拒絶することを表示する、第２送信ユニットと、を備える。
【００３１】
一実施形態において、前記第１指示情報がＲＲＣ接続回復またはＲＲＣ接続確立の目的がＲＮＡ位置更新であることを指示し、かつ前記第１ＲＲＣメッセージが前記端末のＵＥ識別情報を運ぶ場合、
前記第２送信ユニットは、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信するように構成され、ここで、前記第２基地局は、前記端末のＵＥ識別情報およびＭＡＣ−Ｉ情報に従って前記端末の正当性を検証し、前記ターゲットセルの識別情報を前記端末のＲＮＡエリアに記録し、前記端末のページングがトリガされる場合、前記第２基地局は、前記ターゲットセルを含むＲＮＡエリア内でページングメッセージを送信する。
【００３２】
一実施形態において、前記第１指示情報がＲＲＣ接続回復またはＲＲＣ接続確立の目的がＴＡ位置更新であることを指示し、かつ前記第１ＲＲＣメッセージが前記端末のＵＥ識別情報を運ぶ場合、
前記第２送信ユニットは、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信するように構成され、ここで、前記第２基地局は、前記端末のＵＥ識別情報およびＭＡＣ−Ｉ情報に従って前記端末の正当性を検証し、前記ターゲットセルの識別情報を前記端末のＲＮＡエリアに記録し、前記端末のページングがトリガされる場合、前記第２基地局は、前記ターゲットセルを含むＲＮＡエリア内でページングメッセージを送信すると同時に、前記端末が位置するターゲットＴＡエリアのＴＡ情報を第１コアネットワーク要素に送信することにより、前記第１コアネットワーク要素がページングを開始する場合、前記ターゲットＴＡエリアのＴＡ情報を含むＴＡリストでページングメッセージを送信する。
【００３３】
一実施形態において、前記第２送信ユニットは、さらに、前記端末が位置するターゲットＴＡエリアのＴＡ情報を第１コアネットワーク要素に送信するとき、第２指示情報も前記第１コアネットワーク要素に送信するように構成され、ここで、前記第１コアネットワーク要素は、前記第２指示情報に基づいて、前記ターゲットＴＡエリアのＴＡ情報を前記端末のＴＡリストに記録し、前記第２指示情報は、前記端末がソースＴＡエリアからターゲットＴＡエリアに移動したが、前記第１基地局に一時的にアクセスできないことを前記第１コアネットワーク要素に指示する。
【００３４】
一実施形態において、前記ターゲットセルの識別情報は、ＰＣＩ、ＡＲＦＣＮ、ＣＧＩ、ＴＡＣのうちの少なくとも１つを含む。
【００３５】
一実施形態において、前記第２基地局と前記第１基地局は異なる基地局であり、または、
前記第２基地局および前記第１基地局は同じ基地局であり、前記第２基地局は、ＵＥコンテキスト情報を格納する基地局である。
【００３６】
本発明の実施例によるページングの信頼性を向上させる装置は、
端末によって送信される第１ＲＲＣメッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する受信ユニットと、
前記第１指示情報に基づいて、第３ＲＲＣメッセージを前記端末に送信するように構成される第３送信ユニットであって、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥコンテキストを解放し、第４指示情報を第２基地局に送信するように指示し、前記第４指示情報は、前記第２基地局にＵＥコンテキストを解放するように指示する第３送信ユニットと、を備える。
【００３７】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【００３８】
一実施形態において、前記第２基地局と前記第１基地局は異なる基地局であり、または、
前記第２基地局および前記第１基地局は同じ基地局であり、前記第２基地局は、ＵＥコンテキスト情報を格納する基地局である。
【００３９】
本発明の実施例によるページングの信頼性を向上させる装置は、
端末によって送信される第１ＲＲＣメッセージを受信するように構成される受信ユニットであって、前記第１ＲＲＣメッセージは、ＲＲＣ接続回復要求メッセージまたはＲＲＣ接続確立要求メッセージであり、前記第１ＲＲＣメッセージは、前記端末のＵＥ識別情報を運ぶ受信ユニットと、
前記端末のＵＥ識別情報に従ってＵＥコンテキストを取得し、前記ＵＥコンテキストに基づいてセキュリティ回復を実行するように構成されるセキュリティ回復ユニットと、
第３ＲＲＣメッセージを前記端末に送信するように構成される第４送信ユニットであって、前記第３ＲＲＣメッセージは、前記第１基地局への前記端末のアクセスを拒絶することを表示し、前記第３ＲＲＣメッセージは、ＲＮＡ構成情報を運ぶ第４送信ユニットと、を備える。
【００４０】
一実施形態において、前記第１ＲＲＣメッセージは、第１指示情報を運び、前記第１指示情報は、ＲＲＣ接続回復またはＲＲＣ接続確立の目的が位置更新であることを指示する。
【００４１】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【００４２】
本発明の実施例よるコンピュータ記憶媒体において、前記コンピュータ記憶媒体にコンピュータ実行可能な命令が記憶され、前記コンピュータ実行可能な命令は、プロセッサによって実行されるときに、上記のページングの信頼性を向上させる方法のいずれかを実現するように構成される。
【発明の効果】
【００４３】
本発明の実施例による技術的解決策において、一態様によれば、１）第１基地局が、端末によって送信される第１ＲＲＣメッセージを受信し、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示し、２）前記第１基地局が、前記第１指示情報に基づいて、第２ＲＲＣメッセージを前記端末に送信し、前記第２ＲＲＣメッセージは、前記第１基地局への前記端末のアクセスを許可することを表示し、または、前記第１基地局が、前記第１指示情報に基づいて、第３ＲＲＣメッセージを前記端末に送信し、前記第３ＲＲＣメッセージは、前記第１基地局への前記端末のアクセスを拒絶することを表示し、前記第１ＲＲＣメッセージの送信中に前記端末が位置したターゲットセルの識別情報を第２基地局に送信し、前記端末のページングがトリガされる場合、前記第２基地局は、前記ターゲットセルを含むＲＮＡ内でページングメッセージを送信し、または、前記第１基地局が、前記第１指示情報に基づいて、第３ＲＲＣメッセージを前記端末に送信し、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥコンテキストを解放し、第４指示情報を第２基地局に送信するように指示し、前記第４指示情報は、前記第２基地局にＵＥコンテキストを解放するように指示する。別の態様によれば、１）第１基地局が、端末によって送信される第１ＲＲＣメッセージを受信し、前記第１ＲＲＣメッセージは、ＲＲＣ接続回復要求メッセージまたはＲＲＣ接続確立要求メッセージであり、前記第１ＲＲＣメッセージは、前記端末のＵＥ識別情報を運び、２）前記第１基地局が、前記端末のＵＥ識別情報に従ってＵＥコンテキストを取得し、前記ＵＥコンテキストに基づいてセキュリティ回復を実行し、３）前記第１基地局が、第３ＲＲＣメッセージを前記端末に送信し、前記第３ＲＲＣメッセージは、前記第１基地局への前記端末のアクセスを拒絶することを表示し、前記第３ＲＲＣメッセージは、ＲＮＡ構成情報を運ぶ。本発明の実施例による技術的解決策を採用することにより、位置更新タ
イプのＲＲＣ接続回復要求メッセージまたはＲＲＣ接続確立要求メッセージについて、ネットワーク側が前記要求メッセージを拒絶する場合、ネットワーク側によって、この期間内の端末のページングメッセージが到達可能であることを保証し、これにより、端末がページングメッセージを見落とすことを防止し、ページングメッセージの受信の信頼性が向上させる。
【図面の簡単な説明】
【００４４】
【図１】端末の位置更新の概略図である。
【図２】ＲＲＣ接続回復プロセスの概略図である。
【図３】本発明の実施例によるページングの信頼性を向上させる方法の第１の例示的なフローチャートである。
【図４】本発明の実施例によるページングの信頼性を向上させる方法の第２の例示的なフローチャートである。
【図５】本発明の実施例によるページングの信頼性を向上させる方法の第３の例示的なフローチャートである。
【図６】本発明の実施例によるページングの信頼性を向上させる方法の第４の例示的なフローチャートである。
【図７】本発明の実施例によるページングの信頼性を向上させる装置の第１の構成の概略図である。
【図８】本発明の実施例によるページングの信頼性を向上させる装置の第２の構成の概略図である。
【図９】本発明の実施例によるページングの信頼性を向上させる装置の第３の構成の概略図である。
【図１０】本発明の実施例によるページングの信頼性を向上させる装置の第４の構成の概略図である。
【図１１】本発明の実施例によるコンピュータ機器の構成の概略図である。
【発明を実施するための形態】
【００４５】
ここで説明される図面は、更なる理解を提供するために使用され、本出願の一部を構成し、本発明の例示的な実施例およびそれらの説明は、本発明を説明するために使用され、本発明に対する不適切な限定を構成しない。
【００４６】
本発明の実施例の特徴および技術的内容をより詳細に理解するために、以下、図面を参照して本発明の実施例の具現を詳細に説明し、添付の図面は、参照用のものに過ぎず、本発明の実施例を限定することを意図するものではない。
【００４７】
本発明の実施例による技術的解決策は、主に５Ｇ移動通信システムに適用されるが、もちろん、本発明の実施例による技術的解決策は、５Ｇ移動通信システムに限定されず、他のタイプの移動通信システムにも適用できる。以下、５Ｇ移動通信システムにおける主な適用シナリオについて説明する。
【００４８】
ｅＭＢＢシナリオにおいて、ｅＭＢＢは、ユーザがマルチメディアコンテンツ、サービス、およびデータを取得することを目的としており、そのサービス需要は非常に急速に高まっている。ｅＭＢＢは屋内、都市部、農村部などの様々なシナリオで配備でき、そのサービス機能と需要の違いも比較的大きいため、具体的な配備シナリオと組み合わせてサービスを分析する必要がある。
【００４９】
ＵＲＬＬＣシナリオにおいて、ＵＲＬＬＣの典型的な応用は、工業自動化、電力自動化、遠隔医療運用、および交通安全保証を含む。
【００５０】
ｍＭＴＣシナリオにおいて、ｍＭＴＣの典型的な特性は、高接続密度、小データ量、遅延の影響を受けないサービス、モジュールの低コストと長寿命などを含む。
【００５１】
以下、５Ｇネットワーク環境における３つのＲＲＣ状態について説明する。
【００５２】
ＲＲＣ＿ＩＤＬＥ状態：モビリティは、ＵＥベースのセルの選択および再選択であり、ページングはＣＮによって開始され、ページングエリアはＣＮによって構成される。基地局側にＵＥ  ＡＳコンテキストが存在しない。ＲＲＣ接続が存在しない。
【００５３】
ＲＲＣ＿ＣＯＮＮＥＣＴＥＤ状態：ＲＲＣ接続が存在し、基地局およびＵＥにＵＥ  ＡＳコンテキストが存在する。ネットワーク側は、ＵＥの位置が特定のセルレベルであることを認識する。モビリティは、ネットワーク側によって制御されるモビリティである。ＵＥと基地局の間でユニキャストデータを伝送できる。
【００５４】
ＲＲＣ＿ＩＮＡＣＴＩＶＥ状態：モビリティは、ＵＥベースのセルの選択および再選択であり、ＣＮとＲＡＮの間に接続が存在し、ＵＥ  ＡＳコンテキストは、特定の基地局に格納され、ページングはＲＡＮによってトリガされ、ＲＡＮベースのページングエリアは、ＲＡＮによって管理され、ネットワーク側は、ＵＥの位置がＲＡＮのページングエリアレベルに基づいていることを認識する。
【００５５】
図２は、ＲＲＣ接続回復プロセスの概略図であり、図２に示されるように、ＲＲＣ接続回復プロセスは、以下のプロセスを含む。
【００５６】
ステップ２０１において、ＵＥがＩＮＡＣＴＩＶＥ状態であり、ＲＲＣ接続を回復する予定である。
【００５７】
ステップ２０２において、ＵＥがプリアンブル（ｐｒｅａｍｂｌｅ）をｇＮＢに送信する。
【００５８】
ステップ２０３において、ｇＮＢが、ランダムアクセス応答（ＲＡＲ：Ｒａｎｄｏｍ  Ａｃｃｅｓｓ  Ｒｅｓｐｏｎｓｅ）をＵＥに送信する。
【００５９】
ステップ２０４において、ＵＥが、ＲＲＣ接続回復要求メッセージ（ＲＲＣ  Ｃｏｎｎｅｃｔｉｏｎ  Ｒｅｓｕｍｅ  Ｒｅｑｕｅｓｔ）をｇＮＢに送信する。
【００６０】
ステップ２０５において、ｇＮＢが、アンカーｇＮＢ（ａｎｃｈｏｒ  ｇＮＢ）からのＵＥコンテキスト情報を要求する。
【００６１】
ステップ２０６において、ｇＮＢが、ＲＲＣ接続回復メッセージ（ＲＲＣ  Ｃｏｎｎｅｃｔｉｏｎ  Ｒｅｓｕｍｅ）をＵＥに送信する。
【００６２】
ステップ２０７において、ＵＥがＲＲＣ接続（ＲＲＣ＿ＣＯＮＮＥＣＴＥＤ）状態に入る。
【００６３】
ステップ２０８において、ＵＥが、ＲＲＣ接続回復完了メッセージ（ＲＲＣ  Ｃｏｎｎｅｃｔｉｏｎ  Ｒｅｓｕｍｅ  Ｃｏｍｐｌｅｔｅ）をｇＮＢに送信する。
【００６４】
ここで、ＲＲＣ接続確立プロセスは、前述のＲＲＣ接続回復プロセスの説明を参照して理解することができ、ここでは繰り返さない。
【００６５】
図３は、本発明の実施例によるページングの信頼性を向上させる方法の第１の例示的なフローチャートであり、図３に示されるように、前記ページングの信頼性を向上させる方法は、以下のステップを含む。
【００６６】
ステップ３０１において：第１基地局が、端末によって送信される第１ＲＲＣメッセージを受信し、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する。
【００６７】
ここで、第１基地局は、サービス端末のターゲット基地局を指し、これに対して、第２基地局は、サービス端末のソース基地局を指す。
【００６８】
端末が位置更新を実行する場合、前記端末は、第１ＲＲＣメッセージを第１基地局に送信し、前記第１ＲＲＣメッセージは、ＲＲＣ接続回復要求メッセージまたはＲＲＣ接続確立要求メッセージであり、ここで、前記第１ＲＲＣメッセージは、第１指示情報を運び、前記第１指示情報は、ＲＲＣ接続回復またはＲＲＣ接続確立の目的が位置更新であることを指示する。
【００６９】
本発明の実施例において、前記第１指示情報が、ＲＲＣ接続回復またはＲＲＣ接続確立の目的が位置更新であることを指示することについては、以下の２つの状況がある。
【００７０】
前記第１指示情報が、ＲＲＣ接続回復またはＲＲＣ接続確立の目的がＲＮＡ位置更新であることを指示する。
【００７１】
前記第１指示情報が、ＲＲＣ接続回復またはＲＲＣ接続確立の目的がＴＡ位置更新であることを指示する。
【００７２】
ステップ３０２において、前記第１基地局が、前記第１指示情報に基づいて、第２ＲＲＣメッセージを前記端末に送信し、前記第２ＲＲＣメッセージは、前記第１基地局への前記端末のアクセスを許可することを表示する。
【００７３】
本発明の実施例において、第１基地局が、端末によって送信された第１指示情報的ＲＲＣ接続回復要求メッセージまたはＲＲＣ接続確立要求メッセージを受信した後、前記第１指示情報に基づいて、ＲＲＣ接続回復またはＲＲＣ接続確立の目的が位置更新であることを決定でき、ネットワークが輻輳状態であっても、第２ＲＲＣメッセージを前記端末に送信し、前記第２ＲＲＣメッセージは、前記第１基地局への前記端末のアクセスを許可することを表示する。
【００７４】
図４は、本発明の実施例によるページングの信頼性を向上させる方法の第２の例示的なフローチャートであり、図４に示されるように、前記ページングの信頼性を向上させる方法は、以下のステップを含む。
【００７５】
ステップ４０１において、第１基地局が、端末によって送信される第１ＲＲＣメッセージを受信し、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する。
【００７６】
ここで、第１基地局は、サービス端末のターゲット基地局を指し、これに対して、第２基地局は、サービス端末のソース基地局を指す。
【００７７】
端末が位置更新を実行する場合、前記端末は、第１ＲＲＣメッセージを第１基地局に送信し、前記第１ＲＲＣメッセージは、ＲＲＣ接続回復要求メッセージまたはＲＲＣ接続確立要求メッセージであり、ここで、前記第１ＲＲＣメッセージは、第１指示情報を運び、前記第１指示情報は、ＲＲＣ接続回復またはＲＲＣ接続確立の目的が位置更新であることを指示する。
【００７８】
本発明の実施例において、前記第１指示情報が、ＲＲＣ接続回復またはＲＲＣ接続確立の目的が位置更新であることを指示することについては、以下の２つの状況がある。
【００７９】
前記第１指示情報が、ＲＲＣ接続回復またはＲＲＣ接続確立の目的がＲＮＡ位置更新であることを指示する。
【００８０】
前記第１指示情報が、ＲＲＣ接続回復またはＲＲＣ接続確立の目的がＴＡ位置更新であることを指示する。
【００８１】
ステップ４０２において、前記端末のページングがトリガされる場合、第２基地局が、ターゲットセルを含むＲＮＡ内でページングメッセージを送信するように、前記第１基地局が、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信し、前記第３ＲＲＣメッセージは、前記第１基地局への前記端末のアクセスを拒絶することを表示する。
【００８２】
本発明の実施例において、第３ＲＲＣメッセージは、例えば、ＲＲＣ拒絶メッセージである。ネットワーク側が、前記第１基地局への前記端末のアクセスを拒絶する場合、前記第１ＲＲＣメッセージの送信中に前記端末が位置したターゲットセルの識別情報を第２基地局に送信することにより、前記端末のページングがトリガされる場合、前記第２基地局は、前記ターゲットセルを含むＲＮＡ内でページングメッセージを送信する。具体的に、
前記第１指示情報がＲＲＣ接続回復またはＲＲＣ接続確立の目的がＲＮＡ位置更新であることを指示し、かつ前記第１ＲＲＣメッセージが前記端末のＵＥ識別情報を運ぶ場合、
前記第１基地局が、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信することにより、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信する。
【００８３】
ここで、前記ターゲットセルの識別情報は、ＰＣＩ、ＡＲＦＣＮ、ＣＧＩ、ＴＡＣのうちの少なくとも１つを含む。
【００８４】
ここで、前記端末のＵＥ識別情報は、Ｉ−ＲＮＴＩ（ｉｎａｃｔｉｖｅ  ｒａｄｉｏ  ｎｅｔｗｏｒｋ  ｔｅｍｐｏｒａｒｙ  ｉｄｅｎｔｉｆｉｅｒ）であり得る。
【００８５】
前記第１指示情報がＲＲＣ接続回復またはＲＲＣ接続確立の目的がＴＡ位置更新であることを指示し、かつ前記第１ＲＲＣメッセージが前記端末のＵＥ識別情報を運ぶ場合、
前記第１基地局が、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信することにより、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信し、同時に前記第２基地局は、前記端末が位置するターゲットＴＡのＴＡ情報を第１コアネットワーク要素に送信することにより、前記第１コアネットワーク要素がページングを開始する場合、前記ターゲットＴＡのＴＡ情報を含むＴＡリストでページングメッセージを送信する。
【００８６】
さらに、前記第２基地局は、前記端末が位置するターゲットＴＡのＴＡ情報を第１コアネットワーク要素に送信するとき、第２指示情報も前記第１コアネットワーク要素に送信し、前記第２指示情報は、前記端末がソースＴＡからターゲットＴＡに移動したが、前記第１基地局に一時的にアクセスできないことを前記第１コアネットワーク要素に指示し、これにより、前記第１コアネットワーク要素は、前記第２指示情報に基づいて、前記ターゲットＴＡのＴＡ情報を前記端末のＴＡリストに記録する。
【００８７】
ここで、前記ターゲットセルの識別情報は、ＰＣＩ、ＡＲＦＣＮ、ＣＧＩ、ＴＡＣのうちの少なくとも１つを含む。
【００８８】
ここで、前記端末のＵＥ識別情報は、Ｉ−ＲＮＴＩであり得る。
【００８９】
ここで、前記第１コアネットワーク要素は、５Ｇコアネットワークの接続及び移動性管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）を指す。
【００９０】
上記の技術的解決策において、前記第２基地局と前記第１基地局は異なる基地局であり、または、前記第２基地局および前記第１基地局は同じ基地局であり、前記第２基地局は、ＵＥコンテキスト情報を格納する基地局である。
【００９１】
図５は、本発明の実施例によるページングの信頼性を向上させる方法の第３の例示的なフローチャートであり、図５に示されるように、前記ページングの信頼性を向上させる方法は、以下のステップを含む。
【００９２】
ステップ５０１において、第１基地局が、端末によって送信される第１ＲＲＣメッセージを受信し、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する。
【００９３】
ここで、第１基地局は、サービス端末のターゲット基地局を指し、これに対して、第２基地局は、サービス端末のソース基地局を指す。
【００９４】
端末が位置更新を実行する場合、前記端末は、第１ＲＲＣメッセージを第１基地局に送信し、前記第１ＲＲＣメッセージは、ＲＲＣ接続回復要求メッセージまたはＲＲＣ接続確立要求メッセージであり、ここで、前記第１ＲＲＣメッセージは、第１指示情報を運び、前記第１指示情報は、ＲＲＣ接続回復またはＲＲＣ接続確立の目的が位置更新であることを指示する。
【００９５】
本発明の実施例において、前記第１指示情報が、ＲＲＣ接続回復またはＲＲＣ接続確立の目的が位置更新であることを指示することについては、以下の２つの状況がある。
【００９６】
前記第１指示情報が、ＲＲＣ接続回復またはＲＲＣ接続確立の目的がＲＮＡ位置更新であることを指示する。
【００９７】
前記第１指示情報が、ＲＲＣ接続回復またはＲＲＣ接続確立の目的がＴＡ位置更新であることを指示する。
【００９８】
ステップ５０２において、前記第１基地局が、前記第１指示情報に基づいて、第３ＲＲＣメッセージを前記端末に送信し、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥコンテキストを解放し、第４指示情報を第２基地局に送信するように指示し、前記第４指示情報は、前記第２基地局にＵＥコンテキストを解放するように指示する。
【００９９】
ここで、第３ＲＲＣメッセージは、例えば、ＲＲＣ拒絶メッセージである。
【０１００】
上記の技術的解決策において、前記第２基地局と前記第１基地局は異なる基地局であり、または、前記第２基地局および前記第１基地局は同じ基地局であり、前記第２基地局は、ＵＥコンテキスト情報を格納する基地局である。
【０１０１】
図６は、本発明の実施例によるページングの信頼性を向上させる方法の第４の例示的なフローチャートであり、図６に示されるように、前記ページングの信頼性を向上させる方法は、以下のステップを含む。
【０１０２】
ステップ６０１において、第１基地局が、端末によって送信される第１ＲＲＣメッセージを受信し、前記第１ＲＲＣメッセージは、ＲＲＣ接続回復要求メッセージまたはＲＲＣ接続確立要求メッセージであり、前記第１ＲＲＣメッセージは、前記端末のＵＥ識別情報を運ぶ。
【０１０３】
ここで、第１基地局は、サービス端末のターゲット基地局を指し、これに対して、第２基地局は、サービス端末のソース基地局を指す。
【０１０４】
端末が位置更新を実行する場合、前記端末は、第１ＲＲＣメッセージを第１基地局に送信し、前記第１ＲＲＣメッセージは、ＲＲＣ接続回復要求メッセージまたはＲＲＣ接続確立要求メッセージである。
【０１０５】
例示的に、前記第１ＲＲＣメッセージは、第１指示情報を運び、前記第１指示情報は、ＲＲＣ接続回復またはＲＲＣ接続確立の目的が位置更新であることを指示する。
【０１０６】
本発明の実施例において、前記第１指示情報が、ＲＲＣ接続回復またはＲＲＣ接続確立の目的が位置更新であることを指示することについては、以下の２つの状況がある。
【０１０７】
前記第１指示情報が、ＲＲＣ接続回復またはＲＲＣ接続確立の目的がＲＮＡ位置更新であることを指示する。
【０１０８】
前記第１指示情報が、ＲＲＣ接続回復またはＲＲＣ接続確立の目的がＴＡ位置更新であることを指示する。
【０１０９】
ステップ６０２において、前記第１基地局が、前記端末のＵＥ識別情報に従ってＵＥコンテキストを取得し、前記ＵＥコンテキストに基づいてセキュリティ回復を実行し、前記第１基地局が、第３ＲＲＣメッセージを前記端末に送信し、前記第３ＲＲＣメッセージは、前記第１基地局への前記端末のアクセスを拒絶することを表示し、前記第３ＲＲＣメッセージは、ＲＮＡ構成情報を運ぶ。
【０１１０】
具体的に、ネットワーク側が、ＲＲＣ接続回復要求メッセージまたはＲＲＣ接続確立要求メッセージを受信した後、ネットワーク側が端末のアクセスを拒絶しようとする場合、ＭＳＧ３で運ばれるＵＥ識別情報に従って、ＵＥコンテキストを取得し、セキュリティを回復する。その後、ＳＲＢ１（Ｓｉｇｎａｌｌｉｎｇ  Ｒａｄｉｏ  Ｂｅａｒｅｒｓ）メッセージでＲＲＣ拒絶メッセージを返信すると同時に、ＲＲＣ拒絶メッセージでＲＮＡに関連する構成情報を運ぶ。
【０１１１】
ここで、第３ＲＲＣメッセージは、例えば、ＲＲＣ拒絶メッセージである。
【０１１２】
ここで、ＲＮＡ構成情報は、例えば、ＲＮＴＩ−ＲＮＴＩ、ＤＲＸなどである。
【０１１３】
図７は、本発明の実施例によるページングの信頼性を向上させる装置の第１の構成の概略図であり、図７に示されるように、前記装置は、
端末によって送信される第１ＲＲＣメッセージを受信するように構成される受信ユニット７０１であって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニット７０１と、
前記第１指示情報に基づいて、第２ＲＲＣメッセージを前記端末に送信するように構成される第１送信ユニット７０２であって、前記第２ＲＲＣメッセージは、前記第１基地局への前記端末のアクセスを許可することを表示する、第１送信ユニット７０２と、を備える。
【０１１４】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【０１１５】
当業者は、図７に示されるページングの信頼性を向上させる装置の各ユニットの実現機能が、前述のページングの信頼性を向上させる方法に関する説明を参照することによって理解され得ることを理解されたい。図７に示されるページングの信頼性を向上させる装置の各ユニットの機能は、プロセッサで実行されるプログラムによって実現されてもよいし、具体的な論理回路によって実現されてもよい。
【０１１６】
図８は、本発明の実施例によるページングの信頼性を向上させる装置の第２の構成の概略図であり、図８に示されるように、前記装置は、
端末によって送信される第１ＲＲＣメッセージを受信するように構成される受信ユニット８０１であって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニット８０１と、
前記端末のページングがトリガされる場合、第２基地局が、ターゲットセルを含むＲＮＡ内でページングメッセージを送信するように、前記第１指示情報に基づいて、第３ＲＲＣメッセージを前記端末に送信し、前記第１ＲＲＣメッセージの送信中に前記端末が位置した前記ターゲットセルの識別情報を前記第２基地局に送信するように構成される第２送信ユニット８０２であって、前記第３ＲＲＣメッセージは、前記第１基地局への前記端末のアクセスを拒絶することを表示する、第２送信ユニット８０２と、を備える。
【０１１７】
一実施形態において、前記第１指示情報がＲＲＣ接続回復またはＲＲＣ接続確立の目的がＲＮＡ位置更新であることを指示し、かつ前記第１ＲＲＣメッセージが前記端末のＵＥ識別情報を運ぶ場合、
前記第２送信ユニット８０２は、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信するように構成され、ここで、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信する。
【０１１８】
一実施形態において、前記第１指示情報がＲＲＣ接続回復またはＲＲＣ接続確立の目的がＴＡ位置更新であることを指示し、かつ前記第１ＲＲＣメッセージが前記端末のＵＥ識別情報を運ぶ場合、
前記第二送信ユニット８０２は、前記端末のＵＥ識別情報に従って、前記第２基地局をアドレス指定し、前記端末のＵＥ識別情報、ＭＡＣ−Ｉ情報、および前記第１ＲＲＣメッセージの送信中に前記端末が位置したターゲットセルの識別情報を、前記第２基地局に送信するように構成され、ここで、前記第２基地局は、前記端末のＵＥ識別情報およびＭＡＣ−Ｉ情報に従って前記端末の正当性を検証し、前記ターゲットセルの識別情報を前記端末のＲＮＡに記録し、前記端末のページングがトリガされる場合、前記第２基地局は、前記ターゲットセルを含むＲＮＡ内でページングメッセージを送信すると同時に、前記端末が位置するターゲットＴＡのＴＡ情報を第１コアネットワーク要素に送信することにより、前記第１コアネットワーク要素がページングを開始する場合、前記ターゲットＴＡのＴＡ情報を含むＴＡリストでページングメッセージを送信する。
【０１１９】
一実施形態において、前記第２送信ユニット８０２は、さらに、前記端末が位置するターゲットＴＡのＴＡ情報を第１コアネットワーク要素に送信するとき、第２指示情報も前記第１コアネットワーク要素に送信するように構成され、ここで、前記第１コアネットワーク要素は、前記第２指示情報に基づいて、前記ターゲットＴＡのＴＡ情報を前記端末のＴＡリストに記録し、前記第２指示情報は、前記端末がソースＴＡからターゲットＴＡに移動したが、前記第１基地局に一時的にアクセスできないことを前記第１コアネットワーク要素に指示する。
【０１２０】
一実施形態において、前記ターゲットセルの識別情報は、ＰＣＩ、ＡＲＦＣＮ、ＣＧＩ、ＴＡＣのうちの少なくとも１つを含む。
【０１２１】
一実施形態において、前記第２基地局と前記第１基地局は異なる基地局であり、または、前記第２基地局および前記第１基地局は同じ基地局であり、前記第２基地局は、ＵＥコンテキスト情報を格納する基地局である。
【０１２２】
当業者は、図８に示されるページングの信頼性を向上させる装置の各ユニットの実現機能が、前述のページングの信頼性を向上させる方法に関する説明を参照することによって理解され得ることを理解されたい。図８に示されるページングの信頼性を向上させる装置の各ユニットの機能は、プロセッサで実行されるプログラムによって実現されてもよいし、具体的な論理回路によって実現されてもよい。
【０１２３】
図９は、本発明の実施例によるページングの信頼性を向上させる装置の第３の構成の概略図であり、図９に示されるように、前記装置は、
端末によって送信される第１ＲＲＣメッセージを受信するように構成される受信ユニット９０１であって、前記第１ＲＲＣメッセージは、ＲＲＣ接続回復要求メッセージまたはＲＲＣ接続確立要求メッセージであり、前記第１ＲＲＣメッセージは、第１指示情報を運び、前記第１指示情報は、ＲＲＣ接続回復またはＲＲＣ接続確立の目的が位置更新であることを指示する、受信ユニット９０１と、
前記第１指示情報に基づいて、第３ＲＲＣメッセージを前記端末に送信するように構成される第３送信ユニット９０２であって、前記第３ＲＲＣメッセージは、前記第１基地局への前記端末のアクセスを拒絶することを表示し、前記第３ＲＲＣメッセージは、第３指示情報を運び、前記第３指示情報は、前記端末にＵＥコンテキストを解放し、第４指示情報を第２基地局に送信するように指示し、前記第４指示情報は、前記第２基地局にＵＥコンテキストを解放するように指示する、第３送信ユニット９０２と、を備える。
【０１２４】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【０１２５】
一実施形態において、前記第２基地局と前記第１基地局は異なる基地局であり、または、前記第２基地局および前記第１基地局は同じ基地局であり、前記第２基地局は、ＵＥコンテキスト情報を格納する基地局である。
【０１２６】
当業者は、図９に示されるページングの信頼性を向上させる装置の各ユニットの実現機能が、前述のページングの信頼性を向上させる方法に関する説明を参照することによって理解され得ることを理解されたい。図９に示されるページングの信頼性を向上させる装置の各ユニットの機能は、プロセッサで実行されるプログラムによって実現されてもよいし、具体的な論理回路によって実現されてもよい。
【０１２７】
図１０は、本発明の実施例によるページングの信頼性を向上させる装置の第４の構成の概略図であり、図１０に示されるように、前記装置は、
端末によって送信される第１ＲＲＣメッセージを受信するように構成される受信ユニット１００１であって、前記第１ＲＲＣメッセージは、ＲＲＣ接続回復要求メッセージまたはＲＲＣ接続確立要求メッセージであり、前記第１ＲＲＣメッセージは、前記端末のＵＥ識別情報を運ぶ、受信ユニット１００１と、
前記端末のＵＥ識別情報に従ってＵＥコンテキストを取得し、前記ＵＥコンテキストに基づいてセキュリティ回復を実行するように構成されるセキュリティ回復ユニット１００２と、
第３ＲＲＣメッセージを前記端末に送信するように構成される第４送信ユニット１００３であって、前記第３ＲＲＣメッセージは、前記第１基地局への前記端末のアクセスを拒絶することを表示し、前記第３ＲＲＣメッセージは、ＲＮＡ構成情報を運ぶ、第４送信ユニット１００３と、を備える。
【０１２８】
一実施形態において、前記第１ＲＲＣメッセージは、第１指示情報を運び、前記第１指示情報は、ＲＲＣ接続回復またはＲＲＣ接続確立の目的が位置更新であることを指示する。
【０１２９】
一実施形態において、前記第１指示情報が、ＲＲＣ接続回復またはＲＲＣ接続確立の目的が位置更新であることを指示することは、
前記第１指示情報が、ＲＲＣ接続回復またはＲＲＣ接続確立の目的がＲＮＡ位置更新であることを指示すること、または、
前記第１指示情報が、ＲＲＣ接続回復またはＲＲＣ接続確立の目的がＴＡ位置更新であることを指示することを含む。
【０１３０】
当業者は、図１０に示されるハンドオーバ装置の各ユニットによって実現される機能が、前述のページングの信頼性を向上させる方法に関する説明を参照することによって理解され得ることを理解されたい。図１０に示されるページングの信頼性を向上させる装置の各ユニットの機能は、プロセッサで実行されるプログラムによって実現されてもよいし、特定の論理回路によって実現されてもよい。
【０１３１】
本発明の実施例よる前記ページングの信頼性を向上させる装置がソフトウェア機能モジュールの形態で実装され、スタンドアロン製品として販売または使用される場合、コンピュータ可読記憶媒体に格納することもできる。このような理解に基づいて、本発明の実施例の技術的解決策の本質的な部分、即ち先行技術に貢献のある部分は、ソフトウェア製品の形で具現されることができ、前記コンピュータソフトウェア製品は、１つの記憶媒体に記憶され、一台のコンピュータ機器（パーソナルコンピュータ、サーバ、またはネットワーク機器などであリ得る）に本発明の各実施例に記載の方法の全部または一部を実行させるためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。このように、本発明の実施例は、いずれかのハードウェアおよびソフトウェアの特定の組み合わせに限定されない。
【０１３２】
これに対して、本発明の実施例は、コンピュータ実行可能な命令が記憶されたコンピュータ記憶媒体をさらに提供し、前記コンピュータ実行可能な命令がプロセッサによって実行されるときに、本発明の実施例によるページングの信頼性を向上させる方法を実現する。
【０１３３】
図１１は、本発明の実施例のコンピュータ機器の例示的な構成構造図であり、前記コンピュータ機器は、アクセスネットワーク機器（基地局など）であってもよいし、端末またはコアネットワーク要素などの他のタイプの機器であってもよい。図１１に示されるように、コンピュータ機器１００は、１つまたは複数（図には１つだけが示される）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含むことができるが、これらに限定されない）、データを記憶するためのメモリ１００４、および通信機能用の伝送装置１００６を含むことができる。当業者は、図１１に示される構造が単なる例示であり、前記電子装置の構造を限定しないことを理解することができる。例えば、コンピュータ機器１００はまた、図１１に示されるものより多いまたは少ないコンポ―ネットを含み得るか、または図１１に示されるものとは異なる構成を有し得る。
【０１３４】
メモリ１００４は、本発明の実施例における方法に対応するプログラム命令／モジュールなどのアプリケーションソフトウェアのソフトウェアプログラムおよびモジュールを記憶するように構成されることができ、プロセッサ１００２は、メモリ１００４に記憶されたソフトウェアプログラムおよびモジュールを実行することによって、様々な機能アプリケーションおよびデータ処理を実行し、即ち、前記方法を実現する。メモリ１００４は、高速ランダムメモリを含むことができ、１つまたは複数の磁気記憶装置、フラッシュメモリ、または他の不揮発性ソリッドステートメモリなどの不揮発性メモリを含むこともできる。いくつかの例において、メモリ１００４は、プロセッサ１００２に対してリモートで設定されたメモリをさらに含むことができ、これらのリモートメモリは、ネットワークを介してコンピュータ機器１００に接続することができる。上記のネットワークの例には、インターネット、イントラネット、ローカルエリアネットワーク、モバイル通信ネットワーク、およびそれらの組み合わせが含まれるが、これらに限定されない。
【０１３５】
伝送装置１００６は、ネットワークを介してデータを受信または送信するために使用される。上記のネットワークの具体例は、コンピュータ機器１００の通信事業者が提供する無線ネットワークを含むことができる。一例では、伝送装置１００６は、基地局を介して他のネットワーク機器に接続することができ、それにより、インターネットと通信することができる１つのネットワークアダプタ（ＮＩＣ：Ｎｅｔｗｏｒｋ  Ｉｎｔｅｒｆａｃｅ  Ｃｏｎｔｒｏｌｌｅｒ）を含む。一例では、伝送装置１００６は無線方式を介してインターネットと通信するように構成される無線周波数（ＲＦ：Ｒａｄｉｏ  Ｆｒｅｑｕｅｎｃｙ）ユニットであり得る。
【０１３６】
本発明の実施例で説明された技術的解決策は、競合しない場合、任意に組み合わせることができる。
【０１３７】
本発明によって提供されるいくつかの実施例では、開示された方法およびスマート機器は、他の方法で実現され得ることを理解されたい。上記で説明された機器の実施例は単なる例示的であり、例えば、前記ユニットの分割は論理的な機能の分割に過ぎない。実際の実現では、例えば、複数のユニットまたはコンポーネントを組み合わせたり、別のシステムに統合したり、一部の特徴を無視したり、実行しないなど、別の分割方法があることができる。なお、表示または議論される各構成要素間の相互結合または直接結合または通信接続は、いくつかのインターフェース、機器またはユニットを介した間接な結合または通信接続であり得、電気的、機械的または他の形態であり得る。
【０１３８】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現することができる。
【０１３９】
なお、本発明の各実施例における各機能ユニットは、すべて１つの第２処理ユニットに統合されてもよく、各ユニットが個別に１つのユニットとして使用されてもよく、２つ以上のユニットが１つのユニットに統合されてもよい。前記統合されたユニットは、ハードウェアの形で、またはハードウェアとソフトウェア機能ユニットの組み合わせの形で具現することができる。
【０１４０】
上記の内容は、本発明の具体的な実施形態に過ぎなく、本発明の保護範囲はこれに限定されず、当業者は、本発明に開示された技術的範囲内で容易に想到し得る変更または置換は、すべて本発明の保護範囲内に含まれるべきである。
【図１】
2021524690.tif 000003
【図２】
2021524690.tif 000004
【図３】
2021524690.tif 000005
【図４】
2021524690.tif 000006
【図５】
2021524690.tif 000007
【図６】
2021524690.tif 000008
【図７】
2021524690.tif 000009
【図８】
2021524690.tif 000010
【図９】
2021524690.tif 000011
【図１０】
2021524690.tif 000012
【図１１】
2021524690.tif 000013
【国際調査報告】
2021524690.tif 000014
2021524690.tif 000015
2021524690.tif 000016
2021524690.tif 000017